(57)【要約】【課題】通信ネットワーク毎に運用系サーバ及び予備系サーバを設けずとも、冗長構成を形成することが可能な監視システム及びサーバ切替方法を提供する。【解決手段】ＳＮＭＰを用いて複数の通信ネットワークを監視する監視システム１０において、Ｎ個の運用系サーバ１２−１〜１２−ｎは、互いに相違する論理ＩＰアドレスが割り当てられ、Ｎ個の記録部１５−１〜１５−ｎは、互いに相違する識別ＩＤを有する。スイッチ部１４は、運用系サーバ１２−１〜１２−ｎと、記録部１５−１〜１５−ｎとの間に接続経路を確立させる。待機系サーバ１３は、Ｎ個の運用系サーバ１２−１〜１２−ｎのうちいずれかに異常が発生した場合、異常が発生した運用系サーバの論理ＩＰアドレスを取得し、接続経路を自サーバに切り替えるようにスイッチ部１４を制御することで、異常が発生した運用系サーバの動作を引き継ぐ。【選択図】図１
2011250033.tif 000002
【特許請求の範囲】
【請求項１】
ＳＮＭＰ（Simple Network Management Protocol）を用いて複数の通信ネットワークを監視する監視システムにおいて、
互いに異なる論理ＩＰアドレスが割り当てられ、それぞれが前記複数の通信ネットワークのうちいずれかと接続し、前記接続された通信ネットワークに属する被監視装置から前記論理ＩＰアドレス宛に送信されるＴＲＡＰを受信するＮ（Ｎは２以上の自然数）個の運用系サーバと、
互いに異なる識別ＩＤを有し、前記Ｎ個の運用系サーバのいずれかで受信されたＴＲＡＰをそれぞれ記録するＮ（Ｎは２以上の自然数）個の記録部と、
前記複数の論理ＩＰアドレスと、前記複数の識別ＩＤとを予め対応付け、前記対応付けた論理ＩＰアドレスが割り当てられた運用系サーバと、前記対応付けた識別ＩＤを有する記録部との間に接続経路を確立させるスイッチ部と、
前記Ｎ個の運用系サーバのうちいずれかに異常が発生した場合、前記異常が発生した運用系サーバの論理ＩＰアドレスを取得し、前記異常が発生した運用系サーバに対して確立されている接続経路を自サーバに切り替えるように前記スイッチ部を制御することで、前記異常が発生した運用系サーバの動作を引き継ぐ待機系サーバと
を具備することを特徴とする監視システム。
【請求項２】
システム内で使用される時刻情報を生成するＮＴＰサーバをさらに具備し、
前記Ｎ個の運用系サーバは、前記時刻情報に従って前記ＴＲＡＰに対してタイムスタンプを付加し、
前記待機系サーバは、前記異常が発生した運用系サーバの動作を引き継いだ後、前記事項情報に従って前記ＴＲＡＰに対してタイムスタンプを付加することを特徴とする請求項１記載の監視システム。
【請求項３】
前記複数の通信ネットワークのうち要求された通信ネットワークについての監視情報を表示する表示装置をさらに具備し、
前記表示装置は、前記複数の通信ネットワークと、前記複数の通信ネットワークについての監視情報をそれぞれ管理する運用系サーバに割り当てられる論理ＩＰアドレスとを予め対応付けた対応テーブルを有し、前記対応テーブルを参照し、前記要求された通信ネットワークに対応付けられた運用系サーバの論理ＩＰアドレスに対して前記監視情報を要求し、
前記Ｎ個の運用系サーバは、接続する前記通信ネットワークについての監視情報をそれぞれ管理し、前記表示装置からの要求に応じて前記監視情報を前記表示装置へ送信することを特徴とする請求項１及び２のいずれかに記載の監視システム。
【請求項４】
前記Ｎ個の運用系サーバにおいて異常が発生したか否かを監視し、異常が発生した場合、前記待機系サーバに対して前記異常が発生した運用系サーバを通知する制御装置をさらに具備することを特徴とする請求項１乃至３のいずれかに記載の監視システム。
【請求項５】
前記スイッチ部と、前記Ｎ個の記録部とは、ＳＡＮ（Storage Area Network）を形成することを特徴とする請求項１乃至４のいずれかに記載の監視システム。
【請求項６】
ＳＮＭＰ（Simple Network Management Protocol）を用いて複数の通信ネットワークを監視する監視システムで用いられるサーバ切替方法において、
互いに異なる論理ＩＰアドレスが割り当てられたＮ個の運用系サーバが、前記複数の通信ネットワークのうちいずれかと接続し、前記接続された通信ネットワークに属する被監視装置から前記論理ＩＰアドレス宛に送信されるＴＲＡＰを受信し、
スイッチ部が、前記複数の論理ＩＰアドレスと、Ｎ個の記録部に設定された複数の識別ＩＤとを予め対応付け、前記対応付けた論理ＩＰアドレスが割り当てられた運用系サーバと、前記対応付けられた識別ＩＤを有する記録部との間に接続経路を確立させ、
前記Ｎ個の記録部が、前記接続経路により接続された運用系サーバで受信されたＴＲＡＰをそれぞれ記録し、
待機系サーバが、前記Ｎ個の運用系サーバのうちいずれかに異常が発生した場合、前記異常が発生した運用系サーバの論理ＩＰアドレスを取得し、前記異常が発生した運用系サーバに対して確立されている接続経路を自サーバに切り替えるように前記スイッチ部を制御することで、前記異常が発生した運用系サーバの動作を引き継ぐことを特徴とするサーバ切替方法。
【請求項７】
ＮＴＰサーバが、システム内で使用される時刻情報を生成し、
前記Ｎ個の運用系サーバが、前記時刻情報に従って前記ＴＲＡＰに対してタイムスタンプを付加し、
前記待機系サーバが、前記異常が発生した運用系サーバの動作を引き継いだ後、前記事項情報に従って前記ＴＲＡＰに対してタイムスタンプを付加することを特徴とする請求項６記載のサーバ切替方法。
【請求項８】
表示装置が、前記複数の通信ネットワークと、前記複数の通信ネットワークについての監視情報をそれぞれ管理する運用系サーバに割り当てられる論理ＩＰアドレスとを予め対応付けた対応テーブルを有し、
前記表示装置は、前記複数の通信ネットワークのうちいずれかの通信ネットワークについての監視情報が要求された場合、前記対応テーブルを参照して、前記監視情報が要求された通信ネットワークに対応付けられた論理ＩＰアドレスに対して前記監視情報を要求し、
前記Ｎ個の運用系サーバは、前記表示装置からの要求に応じて管理する監視情報を前記表示装置へ送信し、
前記表示装置は、前記運用系サーバからの前記監視情報を表示することを特徴とする請求項６及び７のいずれかに記載のサーバ切替方法。
【請求項９】
制御装置が、前記Ｎ個の運用系サーバにおいて異常が発生したか否かを監視し、異常が発生した場合、前記待機系サーバに対して前記異常が発生した運用系サーバを通知することを特徴とする請求項６乃至８のいずれかに記載のサーバ切替方法。
【発明の詳細な説明】
【技術分野】
【０００１】
本発明の実施形態は、ＳＮＭＰ（Simple Network Management Protocol）を用いて通信ネットワークを監視する監視システム及びサーバ切替方法に関する。
【背景技術】
【０００２】
通信ネットワークを監視する監視システムでは、再送等がなくシンプルかつ軽実装なＳＮＭＰ（Simple Network Management Protocol）が使用されることが多い。この種の監視システムでは、通信ネットワーク毎に設置された運用系サーバにより、通信ネットワークに属する被監視装置から通知されるイベント通知であるＴＲＡＰを記録する。通信ネットワークの監視者は、ＰＣ等の表示装置により運用系サーバにアクセスし、記録されたＴＲＡＰを確認することで、被監視装置及び通信ネットワークの動作状態を監視する。
【０００３】
ところで、従来の監視システムでは、信頼性向上のために、通信ネットワーク毎に運用系サーバ及び予備系サーバを設置する二重冗長構成を構築していた。このため、通信ネットワーク毎に２台のサーバが必要となり、監視システムの大規模化及び高コスト化の要因となっている。
【先行技術文献】
【特許文献】
【０００４】
【特許文献１】特開２００７−２７４２５５号公報
【発明の概要】
【発明が解決しようとする課題】
【０００５】
以上のように、従来の監視システムでは、通信ネットワーク毎に運用系サーバ及び予備系サーバを設置するようにしていたため、システムの大規模化及び高コスト化等の要因となっている。
【０００６】
そこで、目的は、通信ネットワーク毎に運用系サーバ及び予備系サーバを設けずとも、冗長構成を形成することが可能な監視システム及びサーバ切替方法を提供することにある。
【課題を解決するための手段】
【０００７】
実施形態によれば、ＳＮＭＰ（Simple Network Management Protocol）を用いて複数の通信ネットワークを監視する監視システムにおいて、Ｎ個の運用系サーバと、Ｎ個の記録部と、スイッチ部と、待機系サーバとを具備する。Ｎ個の運用系サーバは、互いに異なる論理ＩＰアドレスが割り当てられ、それぞれが前記複数の通信ネットワークのうちいずれかと接続し、前記接続された通信ネットワークに属する被監視装置から前記論理ＩＰアドレス宛に送信されるＴＲＡＰを受信する。Ｎ個の記録部は、互いに異なる識別ＩＤを有し、前記Ｎ個の運用系サーバのいずれかで受信されたＴＲＡＰをそれぞれ記録する。スイッチ部は、前記複数の論理ＩＰアドレスと、前記複数の識別ＩＤとを予め対応付け、前記対応付けた論理ＩＰアドレスが割り当てられた運用系サーバと、前記対応付けた識別ＩＤを有する記録部との間に接続経路を確立させる。待機系サーバは、前記Ｎ個の運用系サーバのうちいずれかに異常が発生した場合、前記異常が発生した運用系サーバの論理ＩＰアドレスを取得し、前記異常が発生した運用系サーバに対して確立されている接続経路を自サーバに切り替えるように前記スイッチ部を制御することで、前記異常が発生した運用系サーバの動作を引き継ぐ。
【図面の簡単な説明】
【０００８】
【図１】実施形態に係る監視システムの機能構成を示すブロック図である。
【図２】図１の表示装置へ通信ネットワークの監視情報を供給する際の監視システムの動作を示すシーケンス図である。
【図３】図１の表示装置が記録する対応テーブルの一例を示す図である。
【図４】図１の運用系サーバに異常が発生した際の監視システムの動作を示すシーケンス図である。
【図５】図１の待機系サーバが記録する管理テーブルの一例を示す図である。
【図６】実施形態に係る監視システムのその他の機能構成を示すブロック図である。
【発明を実施するための形態】
【０００９】
以下、実施の形態について、図面を参照して説明する。
【００１０】
図１は、一実施形態に係る監視システム１０の機能構成を示すブロック図である。図１における監視システム１０は、ＮＴＰ（Network Time Protocol）サーバ１１、運用系サーバ１２−１〜１２−ｎ、待機系サーバ１３、スイッチ部１４、記録部１５−１〜１５−ｎ及び表示装置１６−１〜１６−ｍを具備する。
【００１１】
ＮＴＰサーバ１１は、標準時刻を管理するサーバであり、ＮＴＰに基づいて運用系サーバ１２−１〜１２−ｎ及び待機系サーバ１３へ標準時刻情報を送信する。
【００１２】
運用系サーバ１２−１〜１２−ｎは、それぞれが通信ネットワークＮＷ−１〜ＮＷ−ｎのいずれかと接続する。運用系サーバ１２−１〜１２−ｎには、相互に異なる論理ＩＰアドレスが予め割り当てられている。運用系サーバ１２−１〜１２−ｎは、ＳＮＭＰ（Simple Network Management Protocol）に基づいて、通信ネットワークＮＷ−１〜ＮＷ−ｎに属する被監視装置から自己の論理ＩＰアドレス宛に送信されるＴＲＡＰを受信する。
【００１３】
運用系サーバ１２−１〜１２−ｎは、被監視装置からのＴＲＡＰを受信すると、受信したＴＲＡＰに自己の論理ＩＰアドレスを付加する。また、運用系サーバ１２−１〜１２−ｎは、ＮＴＰサーバ１１からの標準時刻情報に基づいたタイムスタンプをＴＲＡＰにさらに付加する。運用系サーバ１２−１〜１２−ｎは、論理ＩＰアドレスとタイムスタンプとを付加したＴＲＡＰをスイッチ部１４へ出力する。
【００１４】
また、運用系サーバ１２−１〜１２−ｎは、切替制御部１２１−１〜１２１−ｎを備える。切替制御部１２１−１〜１２１−ｎは、待機系サーバ１３からの切替信号を受信した場合、既存のクラスタ制御ソフトに則った所定の処理を実行し、運用系サーバ１２−１〜１２−ｎとしての動作を待機系サーバ１３に切り替えるための処理を行う。
【００１５】
また、運用系サーバ１２−１〜１２−ｎは、それぞれが接続する通信ネットワークＮＷ−１及び通信ネットワークＮＷ−１に属する被監視装置についての監視情報を管理する。
【００１６】
スイッチ部１４と、記録部１５−１〜１５−ｎとは、ＳＡＮ（Storage Area Network）を形成する。スイッチ部１４は、ファイバチャネルスイッチであり、運用系サーバ１２−１〜１２−ｎ、待機系サーバ１３及び記録部１５−１〜１５−ｎと接続する。記録部１５−１〜１５−ｎには、相互に異なる識別ＩＤが予め設定されている。
【００１７】
スイッチ部１４では、運用系サーバ１２−１〜１２−ｎに割り当てられる論理ＩＰアドレスと、記録部１５−１〜１５−ｎに設定される識別ＩＤとが予め対応付けられている。また、スイッチ部１４により、互いに対応付けられた論理ＩＰアドレスと識別ＩＤとを接続する接続経路が予め確立されている。スイッチ部１４は、運用系サーバ１２−１〜１２−ｎからのＴＲＡＰを受信すると、ＴＲＡＰに付加された論理ＩＰアドレスを参照する。そして、スイッチ部１４は、この論理ＩＰアドレスに対応付けられた識別ＩＤを有する記録部と接続する接続経路へ、受信したＴＲＡＰを送信する。記録部１５−１〜１５−ｎは、スイッチ部１４からのＴＲＡＰを受信し、受信したＴＲＡＰを記録する。
【００１８】
また、スイッチ部１４は、待機系サーバ１３による切替制御に従って接続経路を切り替える。
【００１９】
待機系サーバ１３は、切替制御部１３１及びメモリ１３２を備える。切替制御部１３１は、運用系サーバ１２−１〜１２−ｎに異常が発生したか否かを監視する。切替制御部１３１は、異常が発生した場合、既存のクラスタ制御ソフトに則った所定の処理を実行し、メモリ１３２に記録された管理テーブルを参照して運用系サーバ１２−１〜１２−ｎの動作を引き継ぐための処理を行う。
【００２０】
表示装置１６−１〜１６−ｍは、例えば、ＰＣ（Personal Computer）等である。表示装置１６−１〜１６−ｍは、通信ネットワークＮＷ−１〜ＮＷ−ｎと、通信ネットワークＮＷ−１〜ＮＷ−ｎそれぞれについての監視情報を管理する運用系サーバ１２−１〜１２−ｎに割り当てられる論理ＩＰアドレスとが対応付けられた対応テーブルを予め記録する。表示装置１６−１〜１６−ｍは、ユーザからの要求に応じて、対応テーブルを参照し、運用系サーバ１２−１〜１２−ｎのうちいずれかの運用系サーバへアクセスする。表示装置１６−１〜１６−ｍは、アクセスした運用系サーバを介してＴＲＡＰを取得する。そして、表示装置１６−１〜１６−ｍは、取得したＴＲＡＰを監視情報としてディスプレイに表示する。
【００２１】
次に、以上のように構成された監視システム１０の動作を説明する。
【００２２】
図２は、一実施形態に係る監視システム１０における表示装置１６−１が通信ネットワークＮＷ−１の監視情報を取得する際の監視システム１０の動作を示すシーケンス図である。なお、表示装置１６−１〜１６−ｍの動作は互いに同一であるため、図２では表示装置１６−１を例に説明する。
【００２３】
表示装置１６−１は、ユーザから通信ネットワークＮＷ−１についての監視情報を要求された場合（シーケンスＳ２１）、図３に示す対応テーブルを参照し、通信ネットワークＮＷ−１の監視情報を管理する運用系サーバ１２−１を特定する（シーケンスＳ２２）。表示装置１６−１は、運用系サーバ１２−１に対して監視情報を要求する（シーケンスＳ２３）。
【００２４】
運用系サーバ１２−１は、表示装置１６−１からの要求に応じ、スイッチ部１４を介し、運用系サーバ１２−１との接続経路が確立されている記録部１５−１に対してＴＲＡＰの読出し指示を与える（シーケンスＳ２４）。記録部１５−１は、運用系サーバ１２−１からの読出し指示に応じて、記録しているＴＲＡＰを読み出す（シーケンスＳ２５）。記録部１５−１は、読み出したＴＲＡＰを、スイッチ部１４を介して運用系サーバ１２−１へ送信する（シーケンスＳ２６）。運用系サーバ１２−１は、記録部１５−１からのＴＲＡＰをタイムスタンプ順に整列させ、通信ネットワークＮＷ−１の監視情報として表示装置１６−１へ出力する（シーケンスＳ２７）。
【００２５】
表示装置１６−１は、運用系サーバ１２−１からの監視情報をユーザに表示する（シーケンスＳ２８）。なお、図２では、ユーザが表示装置１６−１に対して通信ネットワークＮＷ−１の監視情報を要求する場合を例に説明したが、本実施形態はこの例に限定される訳ではない。例えば、ユーザが表示装置１６−１〜１６−ｍに対して複数の通信ネットワークの監視情報を要求する場合であっても同様に実施可能である。
【００２６】
また、表示装置１６−１〜１６−ｍは、予め設定された所定の期間内に運用系サーバ１２−１〜１２−ｎで受信されたＴＲＡＰをマージし、運用系サーバ１２−１〜１２−ｎにおける受信時間順にソートして表示するようにしても構わない。このとき、表示装置１６−１〜１６−ｍは、例えば以下のような処理を行う。表示装置１６−１〜１６−ｍは、所定の期間毎に運用系サーバ１２−１〜１２−ｎに対して、その期間内に受信したＴＲＡＰを要求する。運用系サーバ１２−１〜１２−ｎは、表示装置１６−１〜１６−ｍからの要求を受けると、それぞれに対応付けられた記録部１５−１〜１５−ｎからＴＲＡＰを読み出し、読み出したＴＲＡＰを表示装置１６−１〜１６−ｍへ出力する。表示装置１６−１〜１６−ｍは、運用系サーバ１２−１〜１２−ｎからのＴＲＡＰをマージし、運用系サーバ１２−１〜１２−ｎにおける受信時間順にソートして自身のメモリに記録する。そして、表示装置１６−１〜１６−ｍは、ユーザからの要求に応じてマージしたＴＲＡＰを表示する。
【００２７】
図４は、一実施形態に係る監視システム１０における運用系サーバ１２−１に異常が発生した場合の監視システム１０の動作を示すシーケンス図である。なお、図４においては、初期状態において、スイッチ部１４により、運用系サーバ１２−１と記録部１５−１とを接続する接続経路が確立されている場合について説明する。また、運用系サーバ１２−１は、論理ＩＰアドレス１が割り当てられ、記録部１５−１は識別ＩＤ１で識別されるものとして説明する。
【００２８】
まず、待機系サーバ１３は、切替制御部１３１により、運用系サーバ１２−１〜１２−ｎのいずれかで異常が発生したことを検出する（シーケンスＳ４１）。切替制御部１３１は、運用系サーバ１２−１へ切替信号を出力する（シーケンスＳ４２）。
【００２９】
運用系サーバ１２−１は、切替信号を受信すると、切替制御部１２１−１により、自己に割り当てられた論理ＩＰアドレス１を無効とする（シーケンスＳ４３）。続いて、切替制御部１２１−１は、通信ネットワークＮＷ−１及び通信ネットワークＮＷ−１に属する被監視装置の動作状態の監視処理及び、通信ネットワークＮＷ−１及び通信ネットワークＮＷ−１に属する被監視装置についての監視対象設備情報の管理処理等を停止する（シーケンスＳ４４）。続いて、切替制御部１２１−１は、記録部１５−１との間で確立されている経路を切断する（シーケンスＳ４５）。そして、切替制御部１２１−１は、シーケンスＳ２３〜Ｓ２５の処理が終了すると、処理が終了した旨を待機系サーバ１３へ通知する（シーケンスＳ４６）。
【００３０】
待機系サーバ１３は、運用系サーバ１２−１からの通知を受けると、切替制御部１３１により、運用系サーバ１２−１に割り当てられていた論理ＩＰアドレス１を取得する（シーケンスＳ４７）。続いて、切替制御部１３１は、図５に示されるメモリ１３２に記録された管理テーブルを参照し、論理ＩＰアドレス１に対応する識別ＩＤ１を特定する（シーケンスＳ４８）。切替制御部１３１は、識別ＩＤ１との間に経路を確立するように、スイッチ部１４に対して切替制御を実行する（シーケンスＳ４９）。
【００３１】
そして、切替制御部１３１は、通信ネットワークＮＷ−１及び通信ネットワークＮＷ−１に属する被監視装置の動作状態の監視処理、及び、通信ネットワークＮＷ−１及び通信ネットワークＮＷ−１に属する被監視装置についての監視情報の管理処理等を開始する（シーケンスＳ４１０）。待機系サーバ１３は、運用系サーバ１２−１の動作を引き継ぐと、ＮＴＰサーバ１１からの標準時刻情報に従い、通信ネットワークＮＷ−１からのＴＲＡＰにタイムスタンプ及び割り当てられた論理ＩＰアドレスを付し、記録部１５−１へ出力する。
【００３２】
以上のように、上記実施形態では、待機系サーバ１３は、運用系サーバ１２−１〜１２−ｎのいずれかで異常が発生した場合、異常の発生した運用系サーバの論理ＩＰアドレスを取得する。また、待機系サーバ１３は、スイッチ部１４を制御し、異常の発生した運用系サーバと接続されていた記録部と自サーバとの間に接続経路を確立させる。これにより、異常が発生した運用系サーバの動作を待機系サーバ１３により引き継ぐことが可能となる。
【００３３】
また、上記実施形態では、ｎ台の運用系サーバ１２−１〜１２−ｎの動作を１台の待機系サーバ１３で保障するようにしている。このため、監視する通信ネットワークを増設する際には、運用系サーバと記録部とを増設しても、待機系サーバを増設する必要はない。監視する通信ネットワークを増設する際には、待機系サーバ１３に記録された管理テーブルを、新たに増設された運用系サーバの論理ＩＰアドレスと、新たに増設された記録部の識別ＩＤとを対応付けて更新すれば良い。これにより、監視システムの大規模化及び高コスト化を抑えることが可能となる。
【００３４】
また、上記実施形態では、運用系サーバ１２−１〜１２−ｎ及び待機系サーバ１３は、ＮＴＰサーバ１１から標準時刻情報を供給され、この標準時刻情報に従って駆動している。これにより、待機系サーバ１３が、異常が発生した運用系サーバを引き継いだとしても、記録部１５−１〜１５−ｎに記録されたＴＲＡＰのタイムスタンプが乱れることはない。
【００３５】
また、上記実施形態では、表示装置１６−１〜１６−ｍに記録される対応テーブルは、通信ネットワークＮＷ−1〜ＮＷ−ｎと運用系サーバ１２−１〜１２−ｎとの対応を、運用系サーバ１２−１〜１２−ｎに割り当てられる論理ＩＰアドレスを用いるようにしている。これにより、表示装置１６−１〜１６−ｍは、異常を生じた運用系サーバの動作を待機系サーバ１３が引き継いだ場合であっても、アクセスする論理ＩＰアドレスに変更がないため、対応テーブルを更新する必要がない。つまり、表示装置１６−１〜１６−ｍは、運用系サーバに異常が発生した場合であっても、ＴＲＡＰを通常通り取得することが可能となる。
【００３６】
したがって、本実施形態に係る監視システムによれば、通信ネットワーク毎に運用系サーバ及び予備系サーバを設けずとも、冗長構成を形成することができる。
【００３７】
なお、本実施形態は、上述の内容に限定される訳ではない。例えば、上記一実施形態では、スイッチ部１４及び記録部１５−１〜１５−ｎにより、ＳＡＮが形成される場合を例に説明したが、これに限定される訳ではない。例えば、イーサネット（登録商標）に準拠したスイッチ部１４により、記録部１５−１〜１５−ｎ、運用系サーバ１２−１〜１２−ｎ及び待機系サーバ１３を接続する場合であっても構わない。
【００３８】
また、上記実施形態では、図１に示す監視システム１０について説明したが、監視システム１０の構成は図１に限定される訳ではない。例えば、図６に示すように、監視システム１０が制御装置１７を備えるようにしても構わない。このとき、制御装置１７は、待機系サーバ１３の代わりに、運用系サーバ１２−１〜１２−ｎにおける異常の発生を監視する。そして、制御装置１７は、異常が発生した場合、待機系サーバ１３の切替制御部１３１へ、異常が発生した運用系サーバについての情報を通知し、切替制御部１３１に引継ぎ処理を開始させる。また、制御部１７は、運用系サーバ１２−１〜１２−ｎに異常が発生した場合、運用系サーバ１２−１〜１２−ｎの切替制御部１２１−１〜１２１−ｎ及び待機系サーバ１３の切替制御部１３１に対して、引継ぎ処理を開始するように制御しても良い。
【００３９】
また、上記実施形態では、待機系サーバ１３が運用系サーバ１２−１〜１２−ｎの動作を引き継ぐ例について説明した。本実施形態においては、待機系サーバ１３がこのまま運用系サーバの動作を継続させるか、運用系サーバの動作を異常の回復した運用系サーバに戻すか、についての制限はない。
【００４０】
さらに、この発明は、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【符号の説明】
【００４１】
１０…監視システム
１１…ＮＴＰサーバ
１２−１〜１２−ｎ…運用系サーバ
１２１−１〜１２１−ｎ…切替制御部
１３…待機系サーバ
１３１…切替制御部
１３２…メモリ
１４…スイッチ部
１５−１〜１５−ｎ…記録部
１６−１〜１６−ｍ…表示装置
１７…制御装置
【図１】
2011250033.tif 000003
【図２】
2011250033.tif 000004
【図３】
2011250033.tif 000005
【図４】
2011250033.tif 000006
【図５】
2011250033.tif 000007
【図６】
2011250033.tif 000008